(57)【要約】    【課題】  卓球ネットのネット高とネットテンションを容易に調節できる機構を備えた卓球ネット支持具を提供すること。    【解決手段】  卓球台３０１の側面に固定した、外方水平方向に延びる支柱固定用フレーム２０２の先端部に上向き直角に支柱本体１０２を接合するとともに、支柱本体１０２を中空構造に形成し、卓球ネット１０７固定用のネットストリング１０８支持用のフック部１０３ｃが上端部に形成されたネジ軸１０３を、支柱本体１０２下端部に軸廻り可能に装着されたナット部材１０４に螺合させて支柱本体１０２に内装した。【選択図】  図１
2005198710.tif 000002
【特許請求の範囲】
【請求項１】
卓球台の側縁部に取り外し可能に固定され、該側縁部から外方に向けて水平方向に延びる固定部と、前記固定部の先端部において上方に向けて支出される支柱部とを有し、前記支柱部に卓球ネットの緊張用ヒモ部材を結合することにより該卓球ネットを前記卓球台の幅方向に亘って緊張する卓球ネット支持具において、
前記支柱部は、上下方向に延びる支柱本体と、手動操作部材の操作により前記支柱部の上端部に掛け渡された緊張用ヒモ部材が結合されるフック部材を前記支柱本体に対して上下方向に移動可能で、且つ任意の位置で固定する緊張機構とを有することを特徴とする卓球ネット支持具。
【請求項２】
前記緊張機構の前記フック部材は、ネジ部をなす棒状部材の上端部に前記ヒモ部材の先端輪部が係合するフック部が形成され、前記棒状部材を、前記支柱部下端に軸廻りに回転可能に設けられた前記手動操作部材をなすナット部材に螺合させて前記支柱本体に内装するとともに、前記フック部を、前記支柱本体の側面上下方向に形成したスリットに案内させて上下方向に移動させることを特徴とする請求項１に記載の卓球ネット支持具。
【請求項３】
前記支柱本体上端部には、前記緊張用ヒモ部材が係合する凹溝部が上面に形成されたキャップ部材が装着され、該キャップ部材は、厚み方向への外力を受けても縮まない硬度の材料によって形成されていることを特徴とする請求項１または請求項２のいずれかに記載の卓球ネット支持具。  
【発明の詳細な説明】
【技術分野】
【０００１】
本発明は、卓球台に卓球ネットを張るための卓球ネット支持具に係り、特に、ネットの張力を調節してネットを規定値の高さに張る機構を備えた卓球ネット支持具に関する。
【背景技術】
【０００２】
卓球台の側面部に取り外し可能に固定される、卓球用ネットを緊張するための卓球ネット支持具としては、図４に示す構成のものが提案されている。
【０００３】
卓球ネット支持具２０１は、固定用グリップ２０３を握りクリップ開口を開いた状態で、支柱固定用フレーム２０２の下面２０２ａを卓球台３０１の上面に当接し、固定用グリップ２０３を離すとコイルバネ２０４のバネ力で卓球台３０１に握持固定される固定部と、固定用フレーム２０２の先端部に上方に向けて直角に接合されたネット支持用支柱部２０５とで構成されている。  
【０００４】
固定用フレーム２０２は、卓球台３０１に当接する固定用フレーム下面２０２ａがネット高の基準面をなしており、固定用フレーム２０２の上面２０２ｂには、卓球ネット３０２の下端３０２ａが収まるＵ溝部が形成されていてネットガイド２０２ｃをなしている。
【０００５】
また、卓球台への固定部側の側端にはゴム等の保護キャップ２０６が嵌合されていて、反対端には支柱部２０５を接合するための支柱支持部２０２ｄが形成されている。
また、固定用フレーム２０２の卓球台３０１との当接面および固定用グリップ２０３の頭部２０３ｂには、滑り止め用の固定用上ゴム部材２０７および固定用下ゴム部材２０８がそれぞれ装着され、卓球ネット支持具２０１を卓球台３０１に確実に固定できるようにしている。
【０００６】
更に、固定用フレーム２０２側面部が3分の２程度の長さに渡って幅広に形成されていて、固定用グリップ２０３とのブラケット部２０２ｅを成し、固定用グリップ２０３が、軸ピン２０９により軸動自在に固定されている。
【０００７】
支柱支持部２０２ｄには、ネット支持用支柱部２０５が上向き直角に接合固定されていて、ネットストリング３０３は、支柱部２０５側面に固定された突起部２１０に支柱部２０５頭部に装着したゴム製のキャップ２１１を介してピンと張って固定される。
【発明の開示】
【発明が解決しようとする課題】
【０００８】
卓球競技において、ネットの張り方は厳格に定められている。例えば、ネット高は、公式においては卓球台のコート面からネットの上端までの高さが、１５．２５ｃｍ、ラージボール式においては１７．２５ｃｍと規定されている。また、ネットの撓みは、ネット上に１００ｇの負荷を加えたときのネット降下量が１ｃｍ未満と規定されている。
【０００９】
しかし、図４に示す従来の卓球ネット支持具２０１は、ネットストリング３０３を固定式のネット固定用突起部２１０に引っ掛けて張力を調節する構造であるのでネット高の微調整ができないという問題があった。
また、ネットの張力は、ネットストリング３０３の引っ張り具合と巻き回数とで定まるので設置者によりばらつきが大きく、ネット高や撓み量が上記規定値から逸脱する場合が少なくなかった。
【００１０】
更に、規定値通りの高さにネット３０２を張った場合であっても、時間の経過とともにネット３０２の張りが弛む場合がある。ところが、ネットの張力を簡単に調節する機構が備わっていないために、ネット３０２が弛んだままで競技が続けられることも見受けられた。
【００１１】
しかし、卓球競技においては、ネット３０２の張力の僅かな違いがボールに与える影響は大きく、ネット３０２が弛んだままラリーを続けると、ネット３０２に当たったボールはネット３０２に弾かれることなくネット３０２に絡むようにコートに落下するという問題がある。
【００１２】
本願発明の目的は、上記観点に鑑みなされたものであって、卓球用ネットの張力を調節して、ネットを適正な状態に容易に張ることができる卓球ネット支持具を提供することである。
【課題を解決するための手段】
【００１３】
本願発明の第一の構成は、請求項１に記載のように、卓球台の側縁部に取り外し可能に固定され、該側縁部から外方に向けて水平方向に延びる固定部と、前記固定部の先端部において上方に向けて支出される支柱部とを有し、前記支柱部に卓球ネットの緊張用ヒモ部材を結合することにより該卓球ネットを前記卓球台の幅方向に亘って緊張する卓球ネット支持具において、前記支柱部は、上下方向に延びる支柱本体と、手動操作部材の操作により前記支柱部の上端部に掛け渡された緊張用ヒモ部材が結合されるフック部材を前記支柱本体に対して上下方向に移動可能で、且つ任意の位置で固定する緊張機構とを有すること特徴とする。
【００１４】
本願発明の第二の構成は、前記緊張機構の前記フック部材は、ネジ部をなす棒状部材の上端部に前記ヒモ部材の先端輪部が係合するフック部が形成され、前記棒状部材を、前記支柱部下端に軸廻りに回転可能に設けられた前記手動操作部材をなすナット部材に螺合させて前記支柱本体に内装するとともに、前記フック部を、前記支柱本体の側面上下方向に形成したスリットに案内させて上下方向に移動させることを特徴とする。
【００１５】
本願発明の第三の構成は、前記支柱本体上端部には、前記緊張用ヒモ部材が係合する凹溝部が上面に形成されたキャップ部材が装着され、該キャップ部材は、厚み方向への外力を受けても縮まない硬度の材料によって形成されていることを特徴とする。
【発明の効果】
【００１６】
請求項１に係る発明によれば、卓球台への固定部の先端部から上方に向けて支出される支柱部に、卓球ネットの緊張用ヒモ部材を結合して卓球ネットを緊張する卓球ネット支持具において、前記支柱部を、上下方向に延びる支柱本体と、手動操作部材の操作により前記支柱部の上端部に掛け渡された緊張用ヒモ部材が結合されるフック部材を前記支柱本体に対して上下方向に移動可能、且つ任意の位置で固定する緊張機構とで形成したことで、前記フック部に前記緊張用ヒモを固定して、前記フック部材を昇降させればネット張力が調節されて、前記ネットを適正な高さに張ることができる。
【００１７】
特に、前記フック部材を上昇させた状態でネットを固定した後、フック部材を降下させれば前記ネットを撓みのない状態で卓球台上に張ることができる。
【００１８】
請求項２に係る発明によれば、前記緊張機構の前記フック部材を、ネジ部をなし、その前記ヒモ部材の先端輪部が係合するフック部が形成された棒状部材で形成し、前記支柱部下端に軸廻りに回転可能に設けられたナット部材に螺合させて前記支柱本体に内装し、且つ、前記フック部材を、前記支柱本体の側面上下方向に形成したスリットに案内させて上下方向に移動可能に形成したことで、請求項１に係る発明の効果に加えて、前記ボルト部材を回転させるだけで、前記フック部材が降下するので容易にネットを緊張状態にすることが可能で、競技中にもネット高および降下量を補正することができる、
また、前記フック部材を螺進可能に形成したことで、前記フック部材の上下方向への移動が段階無く可能で、且つ、任意の位置での固定が可能であるためネット張力の微調節をすることができる。
【００１９】
請求項３に係る発明によれば、前記支柱本体上端部には、前記緊張用ヒモ部材が係合する凹溝部が上面に形成されたキャップ部材が装着し、該キャップ部材は、厚み方向への外力を受けても縮まない硬度の材料によって形成したことで、前記緊張用ヒモを緊張させても支柱本体上端に食い込むことがなく、ネットを正規の高さに張ることができる。
【発明を実施するための最良の形態】
【００２０】
本願発明の第一の実施の形態を図１に示す。尚、従来例と同じ構成部材には同じ符号を付し、その説明を省略する。
【００２１】
卓球ネット支持具１０１は、図３に示す卓球台３０１への固定部をなす支柱固定用フレーム２０２および固定用グリップ２０３と、固定用フレーム２０２の先端部に上方に向けて接合された支柱本体１０２と、支柱本体１０２に内装される緊張機構としての、緊張用ヒモ部材固定用フック部材を備えたネジ軸１０３およびネジ軸１０３と螺合されるナット部材１０４とで構成されている。
【００２２】
固定用フレーム２０２は、卓球台３０１に当接する固定用フレーム下面２０２ａがネット高の基準面をなしており、固定用フレーム２０２の支柱支持部２０２ｄには、支柱本体１０２の下端部が嵌合固定されている。
支柱本体１０２は、卓球台３０１との当接面から支柱本体１０２頭部に固定されたキャップ１０５上面までの高さが、卓球ルールに従った所定値に形成されていて、例えば、公式用においては、１５．２５ｃｍ、ラージボール式用においては１７．２５ｃｍに形成されている。
【００２３】
キャップ１０５は、緊張用ヒモ部材としてのネットストリング１０８がくい込むことのない程度の硬度を有するプラスチック等で形成されていてキャップ１０５上面にはネットストリングガイド１０５ａを成す凹溝が形成されている。
また、本実施の形態において、支柱本体１０２は中空構造に形成されるとともに、固定用フレーム２０２側の上下方向にスリットが形成されて、ネットガイド１０２ａを成し、ネット１０７の耳を挿入可能としている。
【００２４】
一方、ネットガイド１０２ａの反対側にもスリットが上下方向に形成されて、後述するフック部１０３ａを回転不能、且つ、上下方向移動可能に案内するスライドガイド１０２ｂを成している。  
【００２５】
尚、図１に示す支持具１０１においては、支柱本体１０２を支柱支持部２０２ｄに接合して固定しているが、固定用フレーム２０２と一体に形成してもよい。
【００２６】
中空に形成された支柱本体１０２には、上端部が折曲形成されてネットストリング固定用のフック部１０３ａをなすとともに、下端部にネジ部１０３ｂが形成された棒状部材としてのネジ軸１０３が、フック部１０３ａをフック部スライドガイド１０２ｂから外側に突出させて内装されている。
【００２７】
一方、支柱本体１０２下端部には、図２に示すように手動操作部材としてのナット部材１０４の外周面に凹溝１０４ａを形成し支柱支持部２０２ｄから延びた係合ピン１０６に係合させている。これにより、軸廻りの回転が案内され上方向への移動が制限される。
【００２８】
尚、本願実施の形態では、ナット部材１０４に形成された凹溝１０４ａと固定ピン１０６とを係合させてナット部材１０４を軸廻り可能にしているが、ナット部材１０４の軸廻り機構はこれに限られるものではない。
【００２９】
更に、ナット部材１０４内壁にはネジ部１０４ｂが形成されていて、このネジ部１０４ｂにネジ軸１０３のネジ部１０３ｂが螺合されている。よって、ナット部材１０４の下端部に形成された回転つまみ用フランジ１０４ｃを右に回転させれば、ネジ軸１０３は、ナット部材１０４に対してネジ部の範囲で下方向に螺進し、フック部１０３ａに固定されたネットストリング１０８を下方向に引っぱって緊張させるようになっている。
【００３０】
尚、本願実施の形態においてネット張力の調節手段は、フック部１０３ａを備えたネジ軸１０３をナット部材１０４に対して螺進させるものであるが、フック部１０３ａを支柱本体１０２の側面部で上下方向に移動させればよく、例えばフック部１０３ａを備えたネジ軸１０３をネット支持用支柱１０２内でスライド上下させて任意の位置で固定する機構を用いてもよい。
【００３１】
図３は、図１に示す卓球ネット支持具１０１の設置状態を示す。
卓球ネット用支柱１０１を前述のように卓球台３０１に固定する。
卓球用ネット３０２の上端部の輪に通して結合されているネットストリング１０８は、例えばアラミド系繊維等の、引張り強度および耐衝撃性に優れた強化繊維で形成されていて、ネットストリング１０８の両端にはネット固定用ループ１０８ａが形成されている。
【００３２】
このネット固定用ループ１０８ａを、フック部１０３ａが充分に上方にある状態で、キャップ１０５を介してフック部１０３ａに引っ掛ける。その後、ネット３０２のネット高およびネットの降下量を、例えば、所定の重量で所定のネット高を計測できる二股の音叉型に形成された不図示のネットゲージをネット１０７に跨がせる状態で計測しながら、回転つまみ用フランジ１０４ｃを右に回転させてフック部１０３ａを降下させれば、ネット１０７を適正な緊張状態に張ることができる。
【００３３】
また、ネット高および撓み量を定期的に計測し、ネット１０７に弛みが生じた場合には回転つまみ用フランジ１０４ｃを更に右に回転させてフック部１０３ａを降下させるだけで、ネット１０７の弛みを補正することができる。
反対に、回転つまみ用フランジ１０４ｃを左に回転させればフック部１０３ａは上昇し、ネット１０７に弛みをもたせることができる。
【図面の簡単な説明】
【００３４】
【図１】本発明の実施の形態を示す卓球ネット支持具の斜視図。
【図２】図１に示す卓球ネット支持具の支柱本体に内装されるネジ軸およびナット部材の側面図。
【図３】図1に示す卓球ネット支持具を卓球台上に設置した状態の斜視図。
【図４】従来の卓球ネット支持具の斜視図。
【符号の説明】
【００３５】
１０１    ネット支持具
１０２    支柱本体
１０２ａ  ネットガイド
１０２ｂ  フック部スライドガイド
１０３    ネジ軸
１０３ａ  フック部
１０３ｂ  ネジ部
１０４    ナット部材
１０４ａ  凹溝部
１０４ｂ  ネジ部
１０４ｃ  回転つまみ用フランジ
１０５    キャップ
１０５ａ  ネットストリングガイド
１０６    固定ピン
１０７    卓球ネット
１０８    ネットストリング
１０８    ネット固定用ループ
２０１    卓球ネット支持具
２０２    支柱固定用フレーム
２０２ａ  フレーム下面
２０２ｂ  フレーム上面
２０２ｃ  ネットガイド
２０２ｄ  支柱支持部
２０２ｅ  ブラケット部
２０３    固定用グリップ
２０４    コイルバネ
２０５    ネット支持用支柱部
２０６    保護キャップ
２０７    固定用上ゴム部材
２０８    固定用下ゴム部材
２０９    軸ピン
２１０    ネットストリング固定用突起部
２１１    キャップ
３０１    卓球台
３０２    卓球ネット
３０３    ネットストリング
【図１】
2005198710.tif 000003
【図２】
2005198710.tif 000004
【図３】
2005198710.tif 000005
【図４】
2005198710.tif 000006